(57)【要約】【課題】積層されたフレキシブルフラット回路体相互間における幅方向及び長さ方向のそれぞれの位置ずれを防止して、フレキシブルフラット回路体束に積層状態の乱れが生じることを防止することのできるフレキシブルフラット回路体結束具を提供すること。【解決手段】フレキシブルフラット回路体束が上部開放部３１１から挿入される剛構造の結束具本体３１と、結束具本体３１に挿入されたフレキシブルフラット回路体束の上面を押える結束具カバー４１とを備え、結束具本体３１は、フレキシブルフラット回路体束の底面が載る底壁部３２と、この底壁部３２の両端縁に起立形成されてフレキシブルフラット回路体束の両側面を押える一対の側壁３３，３４と、底壁部３２から延出して各フレキシブルフラット回路体２１の絶縁体部に係合することで各フレキシブルフラット回路体２１の長さ方向への移動を規制する係合軸３６と、を備える。【選択図】図１
2011103715.tif 000002
【特許請求の範囲】
【請求項１】
複数のフレキシブルフラット回路体を積層したフレキシブルフラット回路体束が上部開放部から挿入される剛構造の結束具本体と、前記結束具本体に挿入された前記フレキシブルフラット回路体束の上面を押える結束具カバーとを備え、
前記結束具本体は、前記フレキシブルフラット回路体束の底面が載る底壁部と、この底壁部の左右の端縁に垂直且つ互いに平行に起立形成されて前記フレキシブルフラット回路体束の両側面を押える一対の側壁と、前記底壁部から前記フレキシブルフラット回路体束の積層方向に延出して前記フレキシブルフラット回路体束を構成している各フレキシブルフラット回路体の絶縁体部に係合することで各フレキシブルフラット回路体の長さ方向への移動を規制する係合軸と、を備えたことを特徴とするフレキシブルフラット回路体結束具。
【請求項２】
前記係合軸は、前記底壁部の中央部に垂直に起立形成されて、前記フレキシブルフラット回路体束を構成している各フレキシブルフラット回路体の中央部の絶縁体部を串刺し状に貫通して、各フレキシブルフラット回路体の長さ方向への移動を規制することを特徴とする請求項１に記載のフレキシブルフラット回路体結束具。
【請求項３】
前記係合軸は、前記一対の側壁の少なくとも一方の内面に添うリブ状に設けられ、前記フレキシブルフラット回路体束を構成している各フレキシブルフラット回路体の少なくとも一方の側縁の絶縁体部に食い込むことで、各フレキシブルフラット回路体の長さ方向への移動を規制することを特徴とする請求項１に記載のフレキシブルフラット回路体結束具。
【請求項４】
前記結束具カバーが、前記上部開放部を開閉可能に、前記結束具本体に一体形成されていることを特徴とする請求項１〜３のいずれか一つに記載のフレキシブルフラット回路体結束具。
【請求項５】
前記結束具本体又は結束具カバーの外面に、結束バンドを挿通可能なバンド挿通部を一体形成したことを特徴とする請求項１〜４のいずれか一つに記載のフレキシブルフラット回路体結束具。
【請求項６】
前記結束具本体又は結束具カバーの外面に、外部の構造部材の孔に嵌合させることで前記構造部材との連結を果たすクランプ突起を一体形成したことを特徴とする請求項１〜５のいずれか一つに記載のフレキシブルフラット回路体結束具。
【発明の詳細な説明】
【技術分野】
【０００１】
本発明は、電気機器や自動車等の電気配線に使用されるＦＰＣ(Flexible Printed Circuit)やＦＦＣ（Flexible Flat Cable）などのフレキシブルフラット回路体を複数積層したフレキシブルフラット回路体束の結束に用いるフレキシブルフラット回路体結束具に関する。
【背景技術】
【０００２】
上記フレキシブルフラット回路体は、複数条の偏平な導体と、これらの複数条の偏平な導体を互いに平行に所定間隔で平面上に並べた状態で一括被覆した絶縁被覆とを備えた構成である。
【０００３】
このようなフレキシブルフラット回路体は、配線の省スペース化や軽量化に適しているため、電気機器や自動車等の電気配線として普及している。
【０００４】
近年の自動車等の電気配線では、ケーブル接続する電装品の増加、配索スペースの省スペース化等から、比較的幅の狭い（芯線数の少ない）フレキシブルフラット回路体を２枚以上重ねたフレキシブルフラット回路体束を使用する配索構造が増えている。
【０００５】
図７は、従来のフレキシブルフラット回路体束の配索構造を示している。
ここに示した配索構造は、下記特許文献１に開示されたものである。ここに示したフレキシブルフラット回路体束１は、４枚のフレキシブルフラット回路体２ａ，２ｂ，２ｃ，２ｄを積層して構成される。フレキシブルフラット回路体束１の折り曲げ部Ｔでは、個々のフレキシブルフラット回路体２ａ，２ｂ，２ｃ，２ｄについて個別に折り曲げ完了した後で積層することで、曲げ剛性の増加を防止するようにしている。また、真っ直ぐに延びる部位では、束の外周をテープ３により結束して、積層状態を維持するようにしている。
【先行技術文献】
【特許文献】
【０００６】
【特許文献１】特開２００８−１１７７８１号公報
【発明の概要】
【発明が解決しようとする課題】
【０００７】
ところが、束の外周をテープ３で結束する従来の結束構造では、拘束が十分ではなく、配索の際に各フレキシブルフラット回路体に作用する引張荷重によって積層されているフレキシブルフラット回路体相互に長さ方向の相対移動が発生して、図８に示すように、結束部の周辺に外方にふくらんだ弛み部５が形成されることがあった。また、積層されているフレキシブルフラット回路体相互が幅方向に相対移動して、図９に示すように、一部のフレキシブルフラット回路体が幅方向に突出した一部突出部６や、一部のフレキシブルフラット回路体が幅方向に凹んだ一部凹み部７が形成されることがあった。
【０００８】
これらの弛み部５や、一部突出部６や、一部凹み部７などの積層状態の乱れは、フレキシブルフラット回路体束１の見栄えを低下させるだけでなく、突出している部分が配索経路の構造材等に強く擦れて、破損事故を招く虞があった。
【０００９】
そこで、本発明の目的は、上記課題を解消することに係り、積層されたフレキシブルフラット回路体相互間における幅方向及び長さ方向のそれぞれの位置ずれを防止して、フレキシブルフラット回路体束に積層状態の乱れが生じることを防止することのできるフレキシブルフラット回路体結束具を提供することにある。
【課題を解決するための手段】
【００１０】
本発明の前述した目的は、下記の構成により達成される。
（１）複数のフレキシブルフラット回路体を積層したフレキシブルフラット回路体束が上部開放部から挿入される剛構造の結束具本体と、前記結束具本体に挿入された前記フレキシブルフラット回路体束の上面を押える結束具カバーとを備え、
前記結束具本体は、前記フレキシブルフラット回路体束の底面が載る底壁部と、この底壁部の左右の端縁に垂直且つ互いに平行に起立形成されて前記フレキシブルフラット回路体束の両側面を押える一対の側壁と、前記底壁部から前記フレキシブルフラット回路体束の積層方向に延出して前記フレキシブルフラット回路体束を構成している各フレキシブルフラット回路体の絶縁体部に係合することで各フレキシブルフラット回路体の長さ方向への移動を規制する係合軸と、を備えたことを特徴とするフレキシブルフラット回路体結束具。
【００１１】
（２）前記係合軸は、前記底壁部の中央部に垂直に起立形成されて、前記フレキシブルフラット回路体束を構成している各フレキシブルフラット回路体の中央部の絶縁体部を串刺し状に貫通して、各フレキシブルフラット回路体の長さ方向への移動を規制することを特徴とする上記（１）に記載のフレキシブルフラット回路体結束具。
【００１２】
（３）前記係合軸は、前記一対の側壁の少なくとも一方の内面に添うリブ状に設けられ、前記フレキシブルフラット回路体束を構成している各フレキシブルフラット回路体の少なくとも一方の側縁の絶縁体部に食い込むことで、各フレキシブルフラット回路体の長さ方向への移動を規制することを特徴とする上記（１）に記載のフレキシブルフラット回路体結束具。
【００１３】
（４）前記結束具カバーが、前記上部開放部を開閉可能に、前記結束具本体に一体形成されていることを特徴とする上記（１）〜（３）のいずれか一つに記載のフレキシブルフラット回路体結束具。
【００１４】
（５）前記結束具本体又は結束具カバーの外面に、結束バンドを挿通可能なバンド挿通部を一体形成したことを特徴とする上記（１）〜（４）のいずれか一つに記載のフレキシブルフラット回路体結束具。
【００１５】
（６）前記結束具本体又は結束具カバーの外面に、外部の構造部材の孔に嵌合させることで前記構造部材との連結を果たすクランプ突起を一体形成したことを特徴とする上記（１）〜（５）のいずれか一つに記載のフレキシブルフラット回路体結束具。
【００１６】
上記（１）の構成によれば、当該フレキシブルフラット回路体結束具内に保持されたフレキシブルフラット回路体束は、その上面と下面が、結束具本体の底壁部と結束具カバーとに挟まれて、積層されている各フレキシブルフラット回路体の浮き上がりが防止される。
【００１７】
また、結束具本体に挿入されたフレキシブルフラット回路体束は、その両側面が結束具本体の一対の側壁により挟まれて、積層されているフレキシブルフラット回路体相互の幅方向の移動が規制される。
【００１８】
更に、結束具本体に挿入されたフレキシブルフラット回路体束は、結束具本体の底壁部から延出する係合軸との係合によって、積層されているフレキシブルフラット回路体相互の長さ方向への移動が規制される。
【００１９】
従って、上記（１）の構成によれば、積層されたフレキシブルフラット回路体相互間における幅方向及び長さ方向のそれぞれの位置ずれを防止して、フレキシブルフラット回路体束に積層状態の乱れが生じることを防止することができる。
【００２０】
上記（２）の構成によれば、係合軸は、各フレキシブルフラット回路体の中央部の絶縁体部を串刺し状に貫通するため、各フレキシブルフラット回路体に対して安定した係合状態が得られる。そのため、係合軸は、複数装備せずに単一でも十分な移動規制が図れ、結束具本体の構造を単純化することができる。
【００２１】
上記（３）の構成によれば、係合軸は、各フレキシブルフラット回路体の少なくとも一方の側縁の絶縁体部に食い込むリブ状で、各フレキシブルフラット回路体に係合軸との係合用の切り欠き等を特に形成していなくとも、結束具本体内のフレキシブルフラット回路体束を押し込む操作で、各フレキシブルフラット回路体の側面との係合を実現することができ、結束具本体に対するフレキシブルフラット回路体束の挿入操作を容易にすることができる。
【００２２】
上記（４）の構成によれば、フレキシブルフラット回路体結束具は一部品として管理することができ、管理が容易になる。
【００２３】
上記（５）の構成によれば、当該フレキシブルフラット回路体結束具で結束したフレキシブルフラット回路体束は、当該フレキシブルフラット回路体結束具の外面に装備されているバンド挿通部を挿通させた結束バンドによって簡単に配索経路の構造物等に固定することができる。従って、フレキシブルフラット回路体束の配索性を向上させることができる。
【００２４】
上記（６）の構成によれば、当該フレキシブルフラット回路体結束具で結束したフレキシブルフラット回路体束は、当該フレキシブルフラット回路体結束具の外面に装備されているクランプ突起を、配索経路の構造物の孔に嵌合させることで、前記構造物に簡単に固定することができる。従って、フレキシブルフラット回路体束の配索性を向上させることができる。
【発明の効果】
【００２５】
本発明によるフレキシブルフラット回路体結束具によれば、結束具本体の底壁部と結束具カバーとでフレキシブルフラット回路体束の上面と下面とを挟んで、フレキシブルフラット回路体束に積層されている各フレキシブルフラット回路体の浮き上がりを防止する。また、結束具本体の一対の側壁によりフレキシブルフラット回路体束の両側を挟んで、フレキシブルフラット回路体束に積層されているフレキシブルフラット回路体相互の幅方向の移動を規制する。更に、結束具本体の底壁部から延出する係合軸が各フレキシブルフラット回路体の絶縁体部に係合して、フレキシブルフラット回路体束に積層されているフレキシブルフラット回路体相互の長さ方向への移動を規制する。
【００２６】
従って、フレキシブルフラット回路体束に積層されたフレキシブルフラット回路体相互間における幅方向及び長さ方向のそれぞれの位置ずれを防止して、フレキシブルフラット回路体束に積層状態の乱れが生じることを防止することができる。
【図面の簡単な説明】
【００２７】
【図１】本発明に係るフレキシブルフラット回路体結束具の第１実施形態の分解斜視図である。
【図２】本発明に係るフレキシブルフラット回路体結束具の第２実施形態の横断面図である。
【図３】本発明に係るフレキシブルフラット回路体結束具の第３実施形態の横断面図である。
【図４】図３のフレキシブルフラット回路体結束具の平面図である。
【図５】本発明に係るフレキシブルフラット回路体結束具の外面に装備されるバンド挿通部の斜視図である。
【図６】本発明に係るフレキシブルフラット回路体結束具の外面に装備されるクランプ突起の斜視図である。
【図７】従来のフレキシブルフラット回路体束の結束具を示す斜視図である。
【図８】従来のフレキシブルフラット回路体束の結束構造において、積層されているフレキシブルフラット回路体相互の長さ方向の相対移動によって発生する問題の説明図である。
【図９】従来のフレキシブルフラット回路体束の結束構造において、積層されているフレキシブルフラット回路体相互の幅方向の相対移動によって発生する問題の説明図である。
【発明を実施するための形態】
【００２８】
以下、本発明に係るフレキシブルフラット回路体結束具の好適な実施形態について、図面を参照して詳細に説明する。
＜第１実施形態＞
図１は、本発明に係るフレキシブルフラット回路体結束具の第１実施形態の分解斜視図である。
【００２９】
この第１実施形態のフレキシブルフラット回路体結束具１１は、結束具本体３１と、結束具カバー４１とを備えている。
【００３０】
結束具本体３１は、複数のフレキシブルフラット回路体２１を積層したフレキシブルフラット回路体束２３（図２参照）が上部開放部３１１から挿入される剛構造体である。
【００３１】
結束具カバー４１は、結束具本体３１に挿入されたフレキシブルフラット回路体束２３の上面を押える。
【００３２】
フレキシブルフラット回路体２１は、複数条の偏平な導体２１１と、これらの複数条の偏平な導体２１１を互いに平行に所定間隔で平面上に並べた状態で一括被覆した絶縁被覆２１２とを備えた構成で、通称ＦＰＣ(Flexible Printed Circuit)、ＦＦＣ（Flexible Flat Cable ）と呼ばれる回路体である。
【００３３】
フレキシブルフラット回路体２１の隣接する導体２１１間、及び両側縁は、絶縁被覆２１２と一体の絶縁体部２１２ａとなっている。
【００３４】
また、各フレキシブルフラット回路体２１の中央部の絶縁体部２１２ａには、後述する係合軸３６を挿通させる貫通孔２１４が貫通形成されている。
【００３５】
結束具本体３１は、フレキシブルフラット回路体束２３の底面が載る底壁部３２と、この底壁部３２の左右の端縁に垂直に起立形成された一対の側壁３３，３４と、底壁部３２からフレキシブルフラット回路体束２３の積層方向（図１では、矢印Ｘ方向）に延出した係合軸３６と、を備えている。
【００３６】
一対の側壁３３，３４は、互いに平行に、底壁部３２の左右の端縁に装備されている。この一対の側壁３３，３４は、結束具本体３１に挿入されたフレキシブルフラット回路体束２３の両側面を押える。
【００３７】
係合軸３６は、フレキシブルフラット回路体束２３を構成している各フレキシブルフラット回路体２１の絶縁体部に係合することで、各フレキシブルフラット回路体２１の長さ方向への移動を規制する。
【００３８】
本実施形態の場合、係合軸３６は、底壁部３２の中央部に垂直に起立形成されている。この係合軸３６は、フレキシブルフラット回路体束２３を構成している各フレキシブルフラット回路体２１の中央部の絶縁体部２１２ａの貫通孔２１４を串刺し状に貫通して、各フレキシブルフラット回路体２１の長さ方向への移動を規制する。
【００３９】
本実施形態の場合、結束具カバー４１は、結束具本体３１の上部開放部３１１を開閉可能に、結束具本体３１に一体形成されている。
【００４０】
本実施形態の結束具カバー４１は、その一側縁が結束具本体３１の一方の側壁３３の上端縁に薄肉ヒンジ部４２により結合されていて、この薄肉ヒンジ部４２を支点とする回動により、上部開放部３１１を開閉する。
【００４１】
結束具カバー４１は、薄肉ヒンジ部４２とは逆側の端縁に、結束具本体３１の他方の側壁３４の上に重なる係合壁４４が一体形成されている。この係合壁４４には、係合孔４５が貫通形成されている。結束具カバー４１は、上部開放部３１１を閉じた状態では、係合壁４４の係合孔４５が結束具本体３１側壁３４に突設された係止突起４６に係合することで、結束具本体３１に固定される。
【００４２】
以上に説明した第１実施形態のフレキシブルフラット回路体２１では、フレキシブルフラット回路体結束具１１内に保持されたフレキシブルフラット回路体束２３は、その上面と下面が、結束具本体３１の底壁部３２と結束具カバー４１とに挟まれて、積層されている各フレキシブルフラット回路体２１の浮き上がりが防止される。
【００４３】
また、結束具本体３１に挿入されたフレキシブルフラット回路体束２３は、その両側面が結束具本体３１の一対の側壁３３，３４により挟まれて、積層されているフレキシブルフラット回路体２１相互の幅方向の移動が規制される。
【００４４】
更に、結束具本体３１に挿入されたフレキシブルフラット回路体束２３は、結束具本体３１の底壁部３２から延出する係合軸３６との係合によって、積層されているフレキシブルフラット回路体２１相互の長さ方向への移動が規制される。
【００４５】
従って、上記第１実施形態のフレキシブルフラット回路体２１によれば、積層されたフレキシブルフラット回路体２１相互間における幅方向及び長さ方向のそれぞれの位置ずれを防止して、フレキシブルフラット回路体束２３に積層状態の乱れが生じることを防止することができる。
【００４６】
また、上記第１実施形態のフレキシブルフラット回路体２１によれば、係合軸３６は、各フレキシブルフラット回路体２１の中央部の絶縁体部２１２ａを串刺し状に貫通するため、各フレキシブルフラット回路体２１に対して安定した係合状態が得られる。そのため、係合軸３６は、複数装備せずに単一でも十分な移動規制が図れ、結束具本体３１の構造を単純化することができる。
【００４７】
なお、本実施形態の場合は、予め、各フレキシブルフラット回路体２１には、係合軸３６を挿通させるための貫通孔２１４を装備している。しかし、例えば、係合軸３６の先端を尖った形状にして、孔の無い絶縁体部２１２ａに刺し通す構成とすることも考えられる。従って、フレキシブルフラット回路体２１に装備した貫通孔２１４は、必須ではない。しかし、予め貫通孔２１４を装備しておくことによって、結束具本体３１へのフレキシブルフラット回路体束２３の挿入操作力が小さくて済み、フレキシブルフラット回路体束２３の挿入操作を容易にすることができる。
【００４８】
また、上記第１実施形態のフレキシブルフラット回路体２１では、結束具本体３１と結束具カバー４１とが一体形成されているため、フレキシブルフラット回路体結束具１１は一部品として管理することができ、管理が容易になる。
【００４９】
＜第２実施形態＞
図２は、本発明に係るフレキシブルフラット回路体結束具の第２実施形態の横断面図である。
【００５０】
この第２実施形態のフレキシブルフラット回路体結束具１１Ａは、結束具本体３１Ａと結束具カバー４１Ａとから構成されている。本実施形態では、結束具本体３１Ａと、結束具カバー４１Ａとが別体となっている点が、第１実施形態とは異なっている。しかし、結束具本体３１Ａ及び結束具カバー４１Ａは、互いに別体に形成されている点以外の構成は、第１実施形態の結束具本体３１及び結束具カバー４１と同様で良く、同様の構成に付いては、説明を省略する。
【００５１】
この第２実施形態のフレキシブルフラット回路体結束具１１Ａでは、結束具本体３１Ａと結束具カバー４１Ａとが別体のため、挿入されるフレキシブルフラット回路体束２３におけるフレキシブルフラット回路体２１の積層数が変更された場合等には、結束具本体３１Ａのみを設計変更するだけで対応でき、フレキシブルフラット回路体結束具１１Ａに収容するフレキシブルフラット回路体２１の積層数の変更等に容易に対応可能になる。
【００５２】
＜第３実施形態＞
図３は本発明に係るフレキシブルフラット回路体結束具の第３実施形態の横断面図、図４は図３のフレキシブルフラット回路体結束具の平面図である。
【００５３】
この第３実施形態のフレキシブルフラット回路体結束具１１Ｂは、第２実施形態のフレキシブルフラット回路体結束具１１Ａを改良したものである。
【００５４】
第３実施形態のフレキシブルフラット回路体結束具１１Ｂは、結束具本体３１Ｂと、結束具カバー４１Ｂとから構成されている。
【００５５】
第３実施形態における結束具本体３１Ｂは、第２実施形態の結束具本体３１Ａにおける係合軸３６の代わりに、一方の側壁３４の内面にリブ状の係合軸３６Ｂを備えている。係合軸３６の代わりにリブ状の係合軸３６Ｂを備えた点以外は、第２実施形態の結束具本体３１Ａと同様の構成でよい。
【００５６】
リブ状の係合軸３６Ｂは、一方の側壁３４の内面に添って垂直方向に延びて設けられている。また、係合軸３６Ｂの先端は、図４に示すように、フレキシブルフラット回路体２１の長さ方向に沿う幅寸法Ｗと、フレキシブルフラット回路体２１の幅方向への突出長Ｈとが、上方に向かって徐々に縮小する尖った形状になっている。
【００５７】
リブ状の係合軸３６Ｂは、フレキシブルフラット回路体束２３を構成している各フレキシブルフラット回路体２１の一方の側縁の絶縁体部に食い込むことで、各フレキシブルフラット回路体２１の長さ方向への移動を規制する。
【００５８】
第３実施形態における結束具本体３１Ｂは、第２実施形態の結束具カバー４１Ａの内面中央部に、結束具本体３１Ｂ内に嵌合する凸部４７を一体形成したものである。
【００５９】
凸部４７は、結束具本体３１Ｂに挿入されたフレキシブルフラット回路体束２３の上面を押えるもので、図３に示したように、結束具本体３１Ｂに挿入途中のフレキシブルフラット回路体束２３の上面に当接して、フレキシブルフラット回路体束２３を結束具本体３１Ｂ内に押し込むことができる。
【００６０】
この第３実施形態のフレキシブルフラット回路体結束具１１Ｂでは、第１実施形態のフレキシブルフラット回路体結束具１１の作用・効果に加えて、次の作用・効果を得ることができる。
【００６１】
即ち、第３実施形態のフレキシブルフラット回路体結束具１１Ｂでは、係合軸３６Ｂは、各フレキシブルフラット回路体２１の一方の側縁の絶縁体部２１２ａに食い込むリブ状で、各フレキシブルフラット回路体２１に係合軸３６Ｂとの係合用の切り欠き等を特に形成していなくとも、結束具本体３１内のフレキシブルフラット回路体束２３を押し込む操作で、各フレキシブルフラット回路体２１の側面との係合を実現することができ、結束具本体３１に対するフレキシブルフラット回路体束２３の挿入操作を容易にすることができる。
【００６２】
なお、本発明に係るフレキシブルフラット回路体結束具は、図５に示すように、結束具本体又は結束具カバーの外面１３に、不図示の結束バンドを挿通可能なバンド挿通部１４を一体形成した構成としても良い。
【００６３】
このようにバンド挿通部１４を装備した構成の場合には、本発明のフレキシブルフラット回路体結束具で結束したフレキシブルフラット回路体束は、外面１３に装備されているバンド挿通部１４を挿通させた結束バンドによって簡単に配索経路の構造物等に固定することができる。従って、フレキシブルフラット回路体束の配索性を向上させることができる。
【００６４】
また、本発明に係るフレキシブルフラット回路体結束具は、図６に示すように、結束具本体又は結束具カバーの外面１３に、不図示の外部の構造部材の孔に嵌合させることで前記構造部材との連結を果たすクランプ突起１６を一体形成した構成としても良い。
【００６５】
このようにクランプ突起１６を装備した構成の場合には、本発明のフレキシブルフラット回路体結束具で結束したフレキシブルフラット回路体束は、外面１３に装備されているクランプ突起１６を、配索経路の構造物の孔に嵌合させることで、前記構造物に簡単に固定することができる。従って、フレキシブルフラット回路体束の配索性を向上させることができる。
【００６６】
本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００６７】
例えば、係合軸の形状、寸法、配置箇所等は、本発明の目的を達成できるものであれば、任意であり、前述した各実施形態に限定されない。
【００６８】
また、上記第３実施形態は一方の側壁３４だけに係合軸３６を設けた構成であるが、他方の側壁３３にも係合軸３６を設けてもよい。
【符号の説明】
【００６９】
１１，１１Ａ，１１Ｂ  フレキシブルフラット回路体結束具
１３  外面
１４  バンド挿通部
１６  クランプ突起
２１  フレキシブルフラット回路体
２３  フレキシブルフラット回路体束
３１，３１Ａ，３１Ｂ  結束具本体
３２  底壁部
３３，３４  側壁
３６，３６Ｂ  係合軸
４１，４１Ａ，４１Ｂ  結束具カバー
２１１  導体
２１２  絶縁被覆
２１２ａ  絶縁体部
３１１  上部開放部
【図１】
2011103715.tif 000003
【図２】
2011103715.tif 000004
【図３】
2011103715.tif 000005
【図４】
2011103715.tif 000006
【図５】
2011103715.tif 000007
【図６】
2011103715.tif 000008
【図７】
2011103715.tif 000009
【図８】
2011103715.tif 000010
【図９】
2011103715.tif 000011